(57)【要約】水門が開示される。水門は、開いた位置と閉じた位置との間で動作自在に構成されたパネルであって、前記開いた位置ではパネルは洪水に対して障壁を形成する、パネルと、前記閉じた位置から前記開いた位置へパネルを動かすように構成された少なくとも一つのガス支柱とを含む。
2013540217.tif 000002
【特許請求の範囲】
【請求項１】
開いた位置と閉じた位置との間で動くように構成されたパネルであって、前記開いた位置ではパネルは洪水に対して障壁を形成する、パネルと、
前記閉じた位置から前記開いた位置へパネルを動かすように構成された少なくとも一つの拡張部材であって、前記拡張部材がガス支柱である、拡張部材と
を含む水門。
【請求項２】
個々の前記拡張部材は、前記拡張部材が所定の位置から前記閉じた位置までパネルを動かす速度を減じるように構成されている緩衝機構を含む
請求項１に記載の水門。
【請求項３】
前記拡張部材がパネルを動かす速度の減少が調整自在である
請求項２に記載の水門。
【請求項４】
パネルが閉じた位置にあるとき、前記拡張部材の第１の端部がパネルの端部の直下にあり、前記第１の端部の反対側の、前記拡張部材の第２の端部がパネルの端部からパネル長の３分の２の点の直下にある
請求項１乃至３のうちのいずれか一に記載の水門。
【請求項５】
更に、パネルに付属する複数のヒンジと、ガス支柱に付属する複数のブラケットを含み、ヒンジ及びブラケットは、フレームにより一定の相対位置関係で維持され、個々のヒンジ及びブラケットは、パネルが動くときヒンジに作用するパネルの重量がブラケットに作用する対向力により少なくとも部分的にバランスが取られるように、パネルと配置される
請求項１乃至４のうちのいずれか一に記載の水門。
【請求項６】
少なくとも一つのロック部材がロック状態にあるとき前記少なくとも一つのロック部材がパネルを閉じた位置にロックし、前記少なくとも一つのロック部材が非ロック状態にあるとき前記少なくとも一つのロック部材がパネルが閉じた位置から開いた位置に動かすように、ロック状態と非ロック状態との間でスイッチ自在である前記少なくとも一つのロック部材を、更に含む
請求項１乃至５のうちのいずれか一に記載の水門。
【請求項７】
少なくとも一つの回転自在ドライブの回転がパネルを開いた位置から閉じた位置へ動かすように、パネル設置された前記少なくとも一つの回転自在ドライブを、更に含む
請求項１乃至６のうちのいずれか一に記載の水門。
【請求項８】
個々のロック部材が前記少なくとも一つの回転自在ドライブの一つと統合して形成される、請求項６を引用する請求項７に記載の水門。
【請求項９】
個々の回転自在ドライバが、回転の速度が所定の閾値を超えたときに回転ドライブの回転に抗して力を作用するように構成されたブレーキを更に含む
請求項７又は８に記載の水門。
【請求項１０】
パネルを保持するように設置されたベースフレームと、パネルが開いた位置にあるときに前記ベースフレームに抗して押圧し洪水に対してパネルにより連続する障壁を形成するように配置されたシールと
を更に含む請求項１乃至９のうちのいずれか一に記載の水門。
【請求項１１】
パネルが閉じた位置にあるときにパネル上の自動車の重量を耐えるように、パネルが構成されている、請求項１乃至１０のうちのいずれか一に記載の水門。
【請求項１２】
個々の回転自在ドライブが、パネルに力を作用してパネルを開いた位置から閉じた位置へ動かすように構成され、パネルの第１の端部から所定の距離離れた点にて個々の回転自在ドライブにより作用する力が、前記第１の端部に対向するパネルの第２の端部から同じ距離離れた点にて別の回転自在ドライブにより作用する力と等しい
請求項１乃至１１のうちのいずれか一に記載の水門。
【請求項１３】
洪水を受ける位置に設置する水門であって、
前記位置に設置するフレームと、
少なくとも一つのヒンジにより前記フレームに接続するパネルと、及び、
ガス支柱をフレームに接続するための少なくとも一つの接続手段と
を含み、
前記フレームはヒンジと接続手段の相対位置を維持するように適合され、これにより、少なくとも一つのガス支柱の個々の端部を接続手段及びパネルに付属するとフレームはガス支柱により生成される力が前記位置に伝達するのを防ぐ
水門。
【請求項１４】
ヒンジ軸周りで開いた位置と閉じた位置との間で移動自在に構成されたパネルと、及び、
ヒンジ軸の方向に関して対向するパネルの縁に設けられた複数のシール要素と
を含み、
シール要素はパネルの縁沿いに延在し、これにより、パネルの縁を個々の他の物とシール接触させてパネルを開いた位置に配置する際に、シール要素は他の物に抗して夫々防水シールを設ける
水門。
【請求項１５】
請求項１乃至１４のうちのいずれか一に記載の複数の水門であって、個々の水門は複数のシール要素を更に含む、複数の水門を含み、
連続する障壁が、パネルと、オーバーラップするシール要素とにより形成されるように、個々の水門の少なくとも一つのシール要素が別の水門のシール要素とオーバーラップするように構成されている
水門システム。
【請求項１６】
複数の水門であって、個々の水門が、開いた位置と閉じた位置との間を移動自在であるように構成されているパネルを含む、複数の水門と、及び、
複数のシール要素と
を含み、
連続する障壁が、パネルと、オーバーラップするシール要素とにより形成されるように、個々の水門の少なくとも一つのシール要素が別の水門のシール要素とオーバーラップするように構成されている
水門システム。
【請求項１７】
個々の水門は、請求項１乃至１６のいずれか一に記載の水門のうちの一つ若しくはそれ以上のものである
請求項１６に記載の水門システム。
【発明の詳細な説明】
【技術分野】
【０００１】
本発明は、水門、及び、複数の水門を含む水門システムに関する。
【背景技術】
【０００２】
ハリケーン、台風、雷雨、熱帯性低気圧及び集中豪雨は、降水率の増加、降水が継続する時間長の増大、及び全体降水量の増大に繋がることが多い。多数のインフラ洪水コントロール及び地（／泥）滑り防止手段は、これら増大した降雨に対しては実効的では無い。（例えば、過剰水の排水を改良するインフラ整備などの）インフラ整備を介して、このことは克服され得るが、このような整備には時間が掛かり、十分でも実効的でも無いこともある。
【０００３】
このような増大した降雨により生じる洪水は、膨大な量の損害、損失、崩壊、及び不都合に繋がることが多い。例えば、地下駐車場に過剰量の水が流入することにより地下駐車場内部で発生した洪水は、多数の自動車の損害となることが多い。更に、ショッピングモール内部で発生した洪水は、多数の店舗に一時閉鎖を強いることがあり、これらの店舗にとっては金銭的損失となってしまう。
【０００４】
水門（若しくは、防潮壁）は、洪水により起こされうる潜在被害に対する迅速且つ実効的な手段として機能する。特に、水門は、インフラ（例えば、建物若しくは地下駐車場）内に水が入り込むのを防ぐバリアとして、作用する。排水システムを改良するためのインフラ整備が実施されている間、このことは一時的解決方法として機能し得る。
【０００５】
現下利用可能な水門の多くは、手動により若しくは電力利用により、起動する。手動起動水門は、少なくとも一人の指名された人が常時現場にいることを要求することが多い。さもなければ、水門が適時に起動しないリスクがある。電力を利用して起動する水門に対しては、豪雨の期間電力供給が遮断されてこれらの水門が起動しようとすることを妨げるリスクがある。水門により閉じられるギャップが長いならば、指名された人はパネルを指示するための鉛直ポストを設置することもしなければならない。このことは、洪水に抗して保護すべきエリアの大きさに拠って、多大な時間と労力を要することがある。
【０００６】
特許文献１（米国特許第６６２３２０９号）は、電力を利用すること無く自動的に起動し得る水門を開示する。この水門は、水圧の作用の下で稼働する。特に、増大する降雨期間には、表面水が水門のパネル下のポータルに入り込みパネルをピボット回旋して上方に浮かせる。特許文献２（シンガポール特許出願第９８００１３４−１号）は、同じ原理を利用して稼働する水門を開示する。これらの水門は、電力を利用すること無く起動するが、十分な水がポータルに入り込んでパネルを持ち上げるのに十分な力を生成するには、水門のパネル下のポータルは深くされる必要がある。パネルが車両交通可能であるのならば、そのようなパネルは通常より重いのでポータルが更により深くされる必要がある。それらシステムを設置するのに要求される広範な建設工事のコストと同様に、それらシステムのためのコストは高くなる。
【先行技術文献】
【特許文献】
【０００７】
【特許文献１】米国特許第６６２３２０９号
【特許文献２】シンガポール特許出願第９８００１３４−１号
【発明の概要】
【発明が解決しようとする課題】
【０００８】
本発明は、新規且つ有用な水門、及び複数の水門を含む水門システムを提供することを目的とする。
【課題を解決するための手段】
【０００９】
本発明の第１の実施形態は、水門において、開いた位置と閉じた位置との間で動くように構成されたパネルであって前記開いた位置ではパネルは洪水に対して障壁を形成する、パネルと、前記閉じた位置から前記開いた位置へパネルを動かすように構成された少なくとも一つの拡張部材であって前記拡張部材がガス支柱である、拡張部材とを含む水門である。
【００１０】
ガス支柱は、圧縮構成と拡張構成との間で（テレスコープモーションにより）相対的に滑動自在である細長部材のセット（通常は２部材）である。ガス支柱は、圧縮構成では圧縮され、拡張構成ではガス支柱を付勢する、閉じ込められた所定量のガスを含む。水門内で閉じた位置から開いた位置へパネルを動かすには、ガス支柱を利用するのが有利である。モータポンプオイル及び電源を必要とする油圧ポンプとは異なり、ガス支柱は電力供給を使用すること無く、動作し得る。更に、ガス支柱を操作するのに外部エアポンプも必要とされない。外部エアコンプレッサを必要とする空気圧シリンダに対して、これは有利である。高湿潤地域では、空気圧シリンダ内で大量の復水が生じる。この復水が空気圧シリンダ内に現存する潤滑油と混合すると、シリンダを損傷することが多い。更に、空気式シリンダは、復水により損傷し得るペーパーガスケットを採用する。
【００１１】
本発明の第２の実施形態は、水門であって、選択された位置に（例えば、床に）設置するフレームと、少なくとも一つのヒンジよりフレームに接続するパネルと、及び、パネルを開くために少なくとも一つのガス支柱をフレームに接続するための接続手段（例えば、ブラケット）とを含み、前記ガス支柱はパネルの移動自在部分で作用し、前記フレームはヒンジと接続手段の相対位置を維持し、これにより、ガス支柱により生成される力が前記位置に伝達するのを防ぐ。
【００１２】
本発明の第３の実施形態は、水門であって、ヒンジ軸周りで開いた位置と閉じた位置との間で移動自在に構成されたパネルと、及び、ヒンジ軸の方向に関して相互に対向する（即ち、ヒンジ軸の方向で間隙を介して）パネルの縁に設けられた複数のシール要素とを含み、シール要素はパネルの縁沿いに延在し、これにより、パネルの縁を個々の他の物と接触させてパネルを開いた位置に配置する際に、シール要素は他の物に抗して夫々防水シールを設ける。
【００１３】
本発明の第３の実施形態の別の表現は、水門システムにおいて、複数の水門であって、個々の水門は開いた位置と閉じた位置の間で移動自在に構成されたパネルと、及び、複数のシール要素を含み、連続する障壁が、パネルと、オーバーラップするシール要素とにより形成されるように、個々の水門の少なくとも一つのシール要素が別の水門のシール要素とオーバーラップするように構成されている。
【００１４】
本発明の第３の実施形態の水門システムでは、水門のパネル間のギャップを閉じるシール要素をオーバーラップすることにより、連続する障壁が形成され得る。従って、水門システムが動作するとき水門のパネルの間で更なる障壁（例えば、垂直ポスト）が要求されることは無い。このことにより、水門システムのためのより早いセットアップ時間が達成される。
【図面の簡単な説明】
【００１５】
以下の図面を参照して、例示のためにのみ本発明の実施形態を示す。
【図１】（ａ）−（ｂ）は、本発明の第１の実施形態に係る水門の斜視図を示す。
【図２】（ａ）−（ｄ）は夫々、図１の水門の平面図、側面図、正面図及び断面図を示す。
【図３】図１の水門が停止しているときの、図１の水門の横断側面図を示す。
【図４】図３の側横断面図の第１の部分の拡大図を示す。
【図５】図３の側横断面図の第２の部分の拡大図を示す。
【図６】図１の水門が動作しているときの、図１の水門の横断側面図を示す。
【図７】図６の側横断面図の一部分の拡大図を示す。
【図８】図１の水門における、ヒンジの斜視図と、管状ドライブの一部と共に配置されたブラケットの斜視図とを示す。
【図９】図９（ａ）は、図８のヒンジとブラケットの間の配置を示す図１の水門の断面斜視図を示す。図９（ｂ）は、図９（ａ）の一部分の拡大図を示す。
【図１０】（ａ）（ｂ）は、本発明の第２の実施形態を示す。
【図１１】本発明の第３の実施形態に係る水門の斜視図を示す。
【図１２】図１１の水門が停止しているときの、図１１の水門の側横断面図を示す。
【図１３】図１１の水門が動作しているときの、図１１の水門の側横断面図を示す。
【図１４】（ａ）及び（ｂ）は、直線に沿って配置された複数の水門を含む水門システム１３００の斜視図を示す。
【図１５】図１５（ａ）は、図１４（ａ）及び図１４（ｂ）の水門システムの一部の横断面図を示す。図１５（ｂ）は、図１５（ａ）の横断面図の一部分の拡大図を示す。
【図１６】（ａ）及び（ｂ）は、Ｕ字形状で配置された複数の水門を含む水門システムの斜視図を示す。
【図１７】（ａ）及び（ｂ）は、ファセット状で配置された複数の水門を含む水門システムの斜視図を示す。
【発明を実施するための形態】
【００１６】
図１は、本発明の実施形態に係る水門１００の斜視図を示す。図１（ａ）は、水門が動作しているときの水門１００を示し、図１（ｂ）は、水門が停止しているときの水門１００を示す。図２（ａ）−図２（ｄ）は夫々、水門が動作しているときの水門の平面図、側面図、正面図及び断面図を示す。図２（ｄ）の断面図は、図２（ｃ）にてＡ−Ａの付された平面内のものである。水門１００は、自動防潮壁システム（ＡＦＢＳ）とも称される。
【００１７】
図１及び図２に示すように、水門１００は、パネル１０２及びガス支柱の形態の複数の拡張部材１０４、管状ドライブの形態の複数の回転自在ドライブ、並びに、パネル１０２を保持するベースフレーム１０８を含む。
【００１８】
パネル１０２は、開いた位置と閉じた位置との間にて（以下に説明するように）ヒンジ８０２周りで動作する。図１（ａ）に示すように水門１００が動作しているとき、パネル１０２は開いた位置にあり洪水の水に対して障壁を形成する。図１（ｂ）に示すように水門１００が停止しているとき、パネル１０２は閉じた位置でロックされ、これにより人は乗り物で通行可能である。言い換えれば、パネル１０２は閉じた位置にあるとき、その上における予想される交通量に耐えるように構成されている。この交通は、歩行者及び／又は自動車からのものである。実際に道路に設置するには、パネルは、その道路を通過する可能性がある最重量の車両（例えば、連結式ローリー）の重量に耐えられなければならない。それは、少なくとも１メートルトン、好ましくは、少なくとも５メートルトン若しくは１０メートルトンなどのかなり多くを耐えることができることを意味する。
【００１９】
個々のガス支柱１０４は、閉じた位置から開いた位置へパネル１０２を動かすように構成されている。個々のガス支柱１０４は、ピストンの形態の第１の部位と、シリンダの形態の第２の部位を含む。シリンダは、ガス（例えば、窒素ガス）で満たされ、ピストンはシリンダ内部を移動する。個々のガス支柱１０４の長さは、シリンダ内部のピストンの移動により、最小長と最大長の間で変動する。パネル１０２が閉じた位置でロックされるとき、即ち、水門１００が停止しているとき、個々のガス支柱１０４は最小長にあり個々のガス支柱１０４のシリンダ内のガスは加圧されている。この圧力は、ロック状態のパネル１０２に抗して作用する力となる。
【００２０】
水門１００が動作しているとき、パネル１０２はロックされておらず、個々のガス支柱１０４によりパネル１０２に抗して作用する力はパネル１０２を押し、パネル１０２を図１（ａ）に示す開いた位置に動かす。管状ドライブ２０２は、パネル１０２のこの動作で自在に回転するように構成されている。パネル１０２上へ個々のガス支柱１０４により作用する力の要求される規模、及び、パネル１０２が閉じた位置にあるとき個々のガス支柱１０４のシリンダ内のガスの要求される圧力は、パネル１０２の重量に依存する。パネルが強ければ強い程、耐え得るその上の通行量は大きくなり、耐え得るそれに対する洪水の水からの力は大きくなるが、より強いパネル１０２は通常より重く、閉じた位置から開いた位置までパネル１０２を持ち上げるのに要求される力は通常大きくなる。一つの例では、ガス支柱１０４がパネル１０２に作用する合力は、典型的な洪水の際のパネル１０２に対する洪水からの作用力に等しくなるように、個々のガス支柱１０４は選択される。一つの例では、個々のガス支柱１０２は、Ｂａｎｓｂａｃｈガス支柱である。
【００２１】
個々のガス支柱１０４は更に、緩衝機構を含む。この緩衝機構は、ガス支柱１０４が所定の位置から閉じた位置まで動く速さを下げるように構成されている。ここで所定の位置とは閉じた位置と開いた位置との間にある。これは、パネル１０２の最後の開口を和らげて速さを落とす。ガス支柱１０４がパネル１０２を動かす速さの減少分は、調整可能である。一つの例では、緩衝機構は、ガス支柱１０４が拡張する際に作用する、ガス支柱１０４内部で油体を使用するオイル緩衝を採用し、パネルの動作の速さの減少は、緩衝機構により採用されるオイルの量に依存する。一方で、緩衝機構は、他のタイプの緩衝、例えば、トーションばね緩衝を採用してもよい。
【００２２】
管状ドライブ２０２は、開いた位置から閉じた位置まで管状ドライブ２０２の回転によりパネル１０２が動作するように、パネル１０２と共に配置される。例示の構成では、管状ドライブ２０２はパネル１０２に装着され、ロープ３１２を介してベースフレーム１０８に接続する（但し、管状ドライブ２０２がベースフレーム１０８に装着されロープを介してパネル１０２に接続する、別途の配置であってもよい。）。水門１００を停止した状態にするにあたり、管状ドライブ２０２がオンされる。これにより、管状ドライブ２０２の回転が開始し、ガス支柱１０４からの力に抗して、ロープを介してパネル１０２に作用し、パネル１０２を開いた位置から閉じた位置へ動かす。個々の管状ドライブ２０２内には２つの機械的リミットスイッチが存在する。これらのスイッチの各々は、管状ドライブ２０２上のねじを用いて独立して調整可能であり、パネル２０２が開いた位置若しくは閉じた位置に到達した後、管状ドライブ２０２の回転を停止するように機能する。一つの例では、個々の管状ドライブ２０２は、オンすると約２０００ｒｐｍの平均内部回転速度を有し、更にこの回転速度を減じて、パネル１０２を動かすためのローブ３１２と連結するドライブの外部表面を約１１ｒｐｍの回転速度で回転させる外部ギヤ機構を有する、耐候性管状ドライブである。管状ドライブが引くことができる重量／力は、１２０ｋｇと５００ｋｇの間である。
【００２３】
個々の管状ドライブ２０２は、遠心ブレーキも含む。遠心ブレーキは、回転速度が所定の閾値を超えると管状ドライブ２０２の回転に抗して力を作用するように構成されている。一つの例では、個々の管状ドライブ２０２は更に管状ドライブチューブを含み、個々の管状ドライブ２０２内の遠心ブレーキは更に遠心ブレーキの本体から延在するブレーキパッドを含む。管状ドライブ２０２の回転速度が所定の閾値を超えると、ブレーキパッドは遠心ブレーキの本体から伸長し、管状ドライブチューブの表面に抗して対向する摩擦力を作用する。このことにより、管状ドライブ２０２の回転速度が落とされ、更には管状ドライブ２０２の回転が完全に停止し得る。しかしながら、管状ドライブ２０２の回転速度が減少した後瞬時に、ブレーキパッドは、ブレーキパッドと遠心ブレーキの本体との間に付属する弾性エレメントによって後退する。これらの弾性エレメントは、バネであればよい。これにより、管状デバイスの表面に抗して作用する対向する摩擦力が除去され、管状ドライブ２０２の回転速度が増加する。
【００２４】
ガス支柱１０４によりパネル１０２に作用する力が強すぎるならば、閉じた位置から開いた位置へパネル１０２が動く速度は速過ぎるものとなり、この動きの運動量によりパネル１０２の動作の間中ずっとこの速度は増加することを継続し得る。このようにパネル１０２が不意に開くと、パネル１０２が開いた位置に到達するときにベースフレーム１０８が設置位置から転覆する可能性がある。同様に、パネル１０２が不意に閉じても、水門１００を損傷し得る。遠心ブレーキが備わることは有益である。というのは、これは、管状ドライブ２０２の回転速度を制約する助けとなるからである。また、管状ドライブ２０２とパネル１０２とは連結しているので、これは、パネル１０２が動く速度も制約することになる。
【００２５】
水門１００は更に、個々のロック部材が管状ドライブ２０２と一体的に形成されている、複数のロック部材を含む。個々のロック部材は、ロック状態と非ロック状態の間をスイッチ可能なように構成されている。ロック状態では、ロック部材はパネル１０２を閉じた位置にロックし、ロック部材が非ロック状態となると、ガス支柱１０４により作用する力によりパネル１０２は閉じた位置から開いた位置に動作する。水門１００を動作している状態にするためには、ロック部材は停止した状態となる、即ち、ロック状態から非ロック状態へスイッチされる。一つの例では、個々のロック部材は、（２４Ｖ  ＤＣ電磁石でよい）高エネルギー電磁石ロックであり、ロック部材への電源供給を妨げることにより停止した状態となる。
【００２６】
図３は、水門１００が停止しているとき、すなわち、パネル１０２が閉じた位置にあるときの、水門１００の横断側面図を示す。図４は、図３の横断側面図の第１の部位の拡大図（詳細Ａ参照）を示し、図５は、図３の横断側面図の第２の部位の拡大図（詳細Ｂ参照）を示す。
【００２７】
図３〜５に示すように、パネル１０２は、押し出しアルミニウムサッシフレーム３０２、中間層３０４及び上層３０６を含む。一つの例では、サッシフレーム３０２、中間層３０４及び上層３０６の組み合わせた重量は、１ｍ２あたり概略２００〜２５０ｋｇである。
【００２８】
中間層３０４は、サッシフレーム３０２と上層３０６との間に配置される。この中間層３０４は、パネル１０２が閉じた位置にあるときにパネル１０２に掛かる予測交通の重量、及び開いた位置にあるときのパネル１０２に対する洪水の力に、パネル１０２が十分に耐えられるように、パネル１０２を強化するべく機能する。図３、５に示す一つの例では、中間層３０４は、例えば、砂及びセメントを含むグラウト層で満たされ、亜鉛メッキされたメッシュがグラウト層と一体化される。一方で、中間層３０４は、アルミニウムプレート、スチールプレート、鉱物繊維絶縁体、砂のみ、セメントのみ、ボード又はコンクリートで満たされてもよい。
【００２９】
上層３０６は、閉じた位置のパネル１０２周りの地面領域の表面に適合するように選択された材料で仕上げられている。この材料はタイルでも石でもよい。これにより、パネル１０２は周囲の土地表面３０７に溶け込める。この美的機能の他に、上層３０６は、水門１００の内部のための第１の保護層としても機能する。
【００３０】
一つの例では、サッシフレーム３０２及びベースフレーム１０８は、不動構造のための、適切な厚みのＧｒａｄｅ  ＡＡ６６０３  Ｔ５形状のアルミニウム押し出しから成る。これらのアルミニウム押し出しは、面取りされ、溶接され砂で平滑にされる。用セイルされるアルミニウム押し出しは、非金属カラーを用いて粉体塗装され、腐食を防ぐ。アルミニウム押し出しを補強するために溶融亜鉛メッキされたスチールが加えられてもよい。
【００３１】
図３〜５に示すように、水門１００は、水門１００が停止状態であるときに水や外部の物が水門１００の内部に入り込まないようにするための、保護カバープレート３０８も含む。水門１００は更に、複数のシール３１０ａ、３１０ｂ、３１０ｃ、３１０ｄも含む。水門１００が停止状態にあるとき、これらのシール３１０ａ−３１０ｄは、水や外部の物が水門１００の内部に入り込まないようにするための、更なる障壁として機能する。ＥＤＰＭガスケットはＵＶ耐性があり沈下率も低いので、これらのシール３１０ａ−３１０ｄはＥＤＰＭガスケットであることが好ましい。
【００３２】
図３〜５に示すように、水門１００は更に、複数のねじ、例えば、水門１００の異なる要素を共に保持するセルフタップねじ３１６も含む。水門１００は、閉じた位置から開いた位置へパネル１０２を手動で持ち上げる、パネル１０２内に埋め込まれた持ち上げハンドル（図３〜５には図示せず）も含む。ガス支柱１０４が動作しない場合に、これは有用である。
【００３３】
図６は、水門１００が動作しているとき、即ち、パネル１０２が開いた位置にあるときの、水門１００の横断側面図を示す。図７は、図６の横断側面図の部位の拡大図（詳細Ｃ参照）を示す。
【００３４】
図６〜７に示すように、パネル１０２が開いた位置にあるとき、シール３１０ａは、ベースフレーム１０８に抗して押圧し、洪水に対してパネル１０２による継続性のある障壁を形成する。更に、保護カバープレート３０８は、パネル１０２に対して押圧され、洪水に対する更なる保護を与える。水門１００は更に、（図３〜７に示されない）複数のシール要素も含み、該シール要素は、パネル１０２と周囲壁若しくは鉛直ポストとの間にガスを充填し、このことにより、パネル１０２が開いた位置にあるときにはシール要素及びパネル１０２で洪水に対する継続性のある障壁が形成される。ＥＤＰＭガスケットはＵＶ耐性があり沈下率も低いので、これらのシール要素はＥＤＰＭガスケットであることが好ましい。
【００３５】
図３〜７に示すように、個々の管状ドライブ２０２はパネル１０２に連結され、ロープ３１２及び馬蹄サドル３１４を介してベースフレーム１０８に接続する。ロープ３１２は、ステンレススチールワイヤロープであってもよい。ロープの一端は管状ドライブ２０２の周りに巻かれ、ロープ３１２の他端は馬蹄サドル３１４に接続され、その馬蹄サドル３１４はベースフレーム１０８に接続する。パネル１０２が閉じた位置から開いた位置へ動くとき、馬蹄サドル３１４に接続するロープ３１２の端は管状ドライブ２０２から引っ張られる。よって、ロープ３１２は管状ドライブ２０２から解け、パネル１０２の動作と共に管状ドライブ２０２は回転する。管状ドライブ２０２がオンすると、管状ドライブ２０２は自らの周りにロープ３１２を巻き取る方向に回転する。ロープ３１２は、管状ドライブ２０２に向かって馬蹄サドル３１４を（よってパネル１０２を）引っ張り、開いた位置から閉じた位置へパネル１０２を動かす。馬蹄サドル３１２は「ピアノ蓋フラップ」１０９にカバーされ、該「ピアノ蓋フリップ」はパネル１０２の閉じた位置の水平構成内に畳まれるが、（図１（ａ）に示すように）パネル１０２の開いた位置とする傾向がある。
【００３６】
図１〜２に示す一つの例では、水門１００は４個の管状ドライブ２０２を含み、個々の管状ドライブ２０２はパネル１０２に力を作用してパネル１０２を開いた位置から閉じた位置へ動かす。パネル１０２の第１の端部からある距離離れた点で個々の管状ドライブ２０２により作用する力は、上記第１の端部の反対側のパネル１０２の第２の端部から同じ距離を離れた点で別の管状ドライブ２０２により作用する力と、等しい。このことは、２本のロープ３１２をパネル１０２を介して配置することで達成される。これらロープ３１２のうちの１本の端部は、外側管状ドライブ２０２（即ち、パネル１０２の縁により近い管状ドライブ２０２）周りに巻かれ、他のロープ３１２の端部は、内側管状ドライブ２０２周りに巻かれる。
【００３７】
水門１００は更に、複数のヒンジ８０２とブラケット８０４を含む。図８（ａ）はヒンジ８０２の斜視図を示し、図８（ｂ）はガス支柱１０４の一部と共に配置されたブラケット８０４の斜視図を示す。ヒンジ８０２は、ヒンジ８０２のヒンジ軸である中心軸を有する伸長ヒンジピン８０３を含む。ガス支柱１０４は、ピボット８０５によりブラケット８０４と接続する。図９（ａ）は、個々のヒンジ８０２と個々のブラケット８０４の間の構成を示す水門１００の断面斜視図を示し、図９（ｂ）は、図９（ａ）の斜視図の一部の拡大図（ＤＥＴＡＩＬ  Ｃ１参照）を示す。一つの例では、ヒンジ８０２は、ＧＲＡＤＥ  ＳＵＳ  ３０４若しくはＳＵＳ  ３１６の、面取り溶接されたステンレススチールからなる。
【００３８】
図９（ａ）及び図９（ｂ）に示すように、ブラケット８０４は、ガス支柱１０４をベースフレーム１０８に固定するように機能する。ブラケット８０４には更に、閉じた位置から開いた位置へパネル１０２を動かすに当たりガス支柱１０４から要求される力の量を減じる特有のやり方で、ヒンジ８０２が設けられる。以下においてこれを説明する。
【００３９】
パネル１０２が動くとき、パネル１０２の重量はガス支柱１０４だけでなくヒンジ８０２によっても支持される。言い換えれば、パネル１０２の重量は、ガス支柱１０４とヒンジ８０２との間に分布する。それゆえに、パネル１０２の重量負荷に耐えるにはそれら自身では十分に強固ではないガス支柱１０４を利用可能であり、ガス支柱１０４からの合力がパネル１０２を動かすのに十分とはならなくとも更なるハンドリフト力は要求されない。ガス支柱１０４から要求される力はより低いので、個々のガス支柱１０４とパネル１０２の間の最小限の角度は、ガス支柱１０４がパネル１０２の全体重量に耐える状況と対比して、少なくされ得る（即ち、ヒンジ周りにパネル１０２を回転させるように作用するガス支柱１０４による力の成分に比例する、パネル１０２に垂直な方向のガス支柱１０４の長さ方向の成分が、少なくされ得る。）。言い換えれば、ガス支柱１０４の固定端部がヒンジ８０２の軸の下方にある、鉛直の距離が、減少する。それゆえに、ガス支柱１０４全体を保持するのに要求される水門１００の深さは、減少し得る。このことは、水門１００を設置するのにそれ程深く地面が掘られる必要が無いということである。
【００４０】
ガス支柱１０４が生成する拡張力は、ガス支柱１０４の増加する長さで減少する。パネル１０２が閉じた位置にあるときのガス支柱１０４とパネル１０２の間の角度の減少により、ガス支柱１０４が開いた位置にあるときのガス支柱１０４の長さは減少する。このことにより、パネル１０２が開いた位置にあるとき洪水の衝撃に対してパネル１０２に作用する力がより大きくなる。
【００４１】
更に、図９（ａ）及び図９（ｂ）に示すように、個々のヒンジ８０２及びブラケット８０４は、相互に抗して作用するように配置される。ブラケット８０４及びヒンジ８０２は、ベースフレーム１０８を介して接続され一定の位置関係で維持されるので、ブラケット８０４とヒンジ８０２が個別に地面に固定される場合よりも、地面に伝達する力はより小さい。更に、パネル１０２が動くと、パネル１０２の力はヒンジ８０２に作用し、ブラケット８０４に作用する対向力により相当程度までバランスが取られる。パネル１０２が動くとき、このことにより、パネル１０２の重量から、ベースフレーム１０８が緩衝される。よって、ベースフレーム１０８は、（開いた位置でも閉じた位置でも）あたかもパネル１０２が静止しているかのようなパネル１０２の死荷重を支持すれば良く、パネル１０２が動いているときのパネル１０２の動荷重を支持する必要は無い。
【００４２】
一つの例では、重量３５０のパネル１０２に対して、ヒンジ８０２とブラケット８０４のアセンブリが無いならば、ガス支柱１０４は、パネル１０２を閉じた位置から開いた位置まで動かすのに１５００ｋｇの力を作用する必要があり、ガス支柱１０４を保持するのにヒンジ点より下方に３００ｍｍ以上の深さが要求される。しかしながら、ヒンジ８０２とブラケットのアセンブリがあれば、７５０ｋｇの力と約１５０ｍｍの深さしか、要求されない。
【００４３】
一つの例では、パネル１０２が閉じた位置にあるとき、ガス支柱１０４の第１の端部がパネル１０２の端部の実質的に直接下方にあり、第１の端部と対向するガス支柱１０４の第２の端部がパネル１０２の端部からパネル１０２長の３分の２にあるパネル１０２の点の直接下方にある、というように、個々のガス支柱１０４が配置される。開いた位置から閉じた位置までパネル１０２を動かすためにパネル１０２の重量が、ガス支柱１０４に抗する全体力に実質的に寄与するので、この配置は利点がある。しかしながら、この配置であっても、上述のヒンジ８０２とブラケット８０４のアセンブリにより、パネル１０２が閉じた位置にあるときガス支柱１０４とパネル１０２との間の角度を増大することなく閉じた位置から開いた位置へパネル１０２を動かすのに、ガス支柱１０４は更に十分な力を作用することができる。ガス支柱１０４に抗する力に寄与するためにパネル１０２の重量を用いることの利点は、管状ドライブ２０２が持ち上げる／引く必要があるけん引力／負荷は、ガス支柱１０４により生成される全体の力よりもずっと小さいものであり、ガス支柱１０４の全体の力と適合させる必要も無い、ということである。
【００４４】
図３〜７に示すように、水門１００は地面内に導入される。地面領域は、洪水に対して保護すべき土地のアパーチャ、開口、若しくは戸口の前にあればよい。パネル１０２が閉じた位置にあるとき、パネル１０２がアパーチャ、開口、若しくは戸口に垂直になるように、水門１００がアパーチャ、開口、若しくは戸口に関して設けられればよい。この場合、パネル１０２が開いた位置にあるとき、保護すべき土地のアパーチャ、開口、若しくは戸口をブロックする障壁を形成する。言い換えれば、パネル１０２は、浸水に対する単開き若しくは両開きの戸の位置を採用する。
【００４５】
水門１００を設置するに当たり、地面領域の一部が最初に空にされ（若しくは切り刻まれ）水門１００が設置された後にパネル１０２の上方層３０６が周囲の地面の表面のレベルとなるように、水門１００のための十分な深さを形成する。図３〜７に示すように、グラウト３１８が水門１００と周囲の地面領域３２０との間に配置される。これは、時間とともに地面内へ水門１００が沈むことを最小限にするために、水門１００のベースフレーム１０８のための支持を与える。更に、水門１００をグラウト３１８及び周囲の地面領域３２０にアンカするために、複数のアンカ３２０が用いられる。一つの例では、グラウト３１８は、メークアップセメントグラウトを含む。
【００４６】
水門１００が動作しておりパネル１０２が開いた位置にあるとき、ブレース、例えばスチールクロスブレースは、パネル１０２に対して手動で支えられ、洪水若しくは他の物（例えば、洪水により運ばれるがらくた内の負荷）の衝撃により生じる静水力及び流体力
に抗する、パネル１０２の抵抗を増大させる。
【００４７】
水門１００は切迫した洪水を感知するセンサからの信号に応答して動作しキースイッチコントロール若しくはコントロールパネルのリセットボタンを利用して停止するように、水門１００は構成されている。センサは、水門１００が設置された地面上の水位を検出することにより、稼働してもよい。一方で、水門１００は、キースイッチコントロールや押しボタンを用いてロック部材を停止することにより、手動で動作するようにしてもよい。水門１００は、ロック部材により作用する力に抗してパネル１０２を手動で持ち上げることにより、動作するようにしてもよい。
【００４８】
水門１００は、（例えば、ＵＰＳシステムなどの）バッテリバックアップシステムと連結される。切迫した洪水が無い場合であっても、閉じた位置から開いた位置へパネル１０２を動かすロック部材を停止する停電（主インカム電源の停止）の場合に、このことは、水門１００へのバックアップ動力を提供するように機能する。バッテリバックアップシステムは、ユーザの要求に依存して、１時間、２時間、４時間、８時間若しくは他の時間のバックアップ動力を提供するように選択され得る。バッテリバックアップシステムが利用されて水門１００が動作する場合に、ロック部材が停止しているように、ロック部材は構成される。水門１００システム１００は、水門１００の内部に入る水を排出する排水システムと更に連結し得る。
【００４９】
図１０（ａ）、（ｂ）は、水門１００の変形例であり、本発明の第２の実施形態である、水門１００ｂの図である。図１０（ａ）は水門１００ｂが動作しているときの水門１００ｂを示し、図１０（ｂ）は水門１００ｂが停止しているときの水門１００ｂを示す。水門１００ｂは水門１００と非常に類似した構造を有する。よって同様の要素には同じ参照番号を付する。水門１００とは対照的に、水門１００ｂは、スチールプレート５０１を支持するスチールフレーム５０３を有し、該スチールプレート５０１上にはワイヤメッシュ５０５や頂部層５０７が形成される。これらはコンクリートでも、タイルでも、石でも良い。スチールプレート５０１及びフレーム５０３は、水門１００ｂが停止しているときに水門１００ｂ上を通過する乗り物を支持する、更なる強度を水門１００ｂに与える。
【００５０】
図１１は、水門１００の別の変形例であり、本発明の第３の実施形態である、水門１０００の斜視図を示す。図１１（ａ）は水門１０００が動作しているときの水門１０００を示し、図１１（ｂ）は水門１０００が停止しているときの水門１０００を示す。図１２及び１３は夫々、水門１０００が停止しているときの水門１０００の側断面図と、水門１０００が動作しているときの水門１０００の側断面図を示す。水門１０００は水門１００と同様のものであり、同じ部分は、ダッシュを伴う同じ参照番号を備える。
【００５１】
水門１０００は、水門１００、１００ｂと同様に稼働する。しかしながら、夫々が統合されたロック部材を備える、複数の管状ドライブ２０２を含む水門１００、１００ｂとは違い、水門１０００は電磁気ロック１１０２の形態で、複数の独立のロック部材を含む（図１２、１３参照）。個々の電磁気ロック１１０２は、アーマチャ１１０２ｂの形態の第１の部分と、磁気コイル１１０２ａの形態の第２の部分を含む。個々の電磁気ロック１１０２は、水門１００内に各々の管状ドライブ２０２を統合した電磁気ロックと同じ機能を果たす。同様に、電磁気ロック１１０２がロック状態にあるとき電磁気ロック１１０２はパネル１０２‘を閉じた位置にロックし、電磁気ロック１１０２が非ロック状態にあるときパネル１０２’は閉じた位置から開いた位置へ動くように、個々の電磁気ロック１１０２はロック状態と非ロック状態との間をスイッチ可能なように構成されている。個々の電磁気ロック１１０２に対して、アーマチャプレート１１０２ｂ及び磁気コイル１１０２ａは（図１２に示すように）ロック状態で相互に押圧し、磁気コイル１１０２ａ及びアーマチャプレート１１０２ｂは（図１３に示すように）非ロック状態で相互に離れる。
【００５２】
水門１０００を停止するにあたり、パネル１０２‘は開いた位置から閉じた位置へ手動で動かされる。ガス支柱１０４’からの力に対して、パネル１０２‘へ力を作用することにより、このことは為される。水門１０００が遠心ブレーキを伴う管状ドライブを含んでいなくとも、パネル１０２’が閉じた位置から開いた位置へ動く速度は尚、前述のガス支柱１０４の緩衝機構と同様のガス支柱１０４‘の緩衝機構により、制御される。
【００５３】
図１２〜１３に示すように、水門１０００は、前述の水門１００と同様に設置される。更に、水門１０００が動作しておりパネル１０２‘が開いた位置にあるとき、ブレース、例えば、スチールクロスブレースは、パネル１０２’は手動で支えられる。水門１０００も、水門１００及び１００ｂがバッテリバックアップシステムに連結するのと同様に動作状態になるように、構成される。
【００５４】
以下では、水門１００、１００ｂ若しくは１０００を手動で動作させる例示のプロセス、及び、水門１００、１００ｂ若しくは１０００を自動的に動作させる例示のプロセスを記載する。
【００５５】
水門１００、１００ｂ若しくは１０００を手動で動作させる例示のプロセス
水門１００、１００ｂ若しくは１０００は、パネル１０２若しくは１０２‘が閉じた位置でロックされていると、通常停止した状態にある。この例では、水門１００、１００ｂ若しくは１０００は、キースイッチコントロール若しくは押しボタンなどの手動コントロールユニットに連結しており、この手動コントロールユニットを用いて手動で動作させる必要がある。
【００５６】
例えば、キースイッチコントロールをターンすることにより若しく押しボタンを押下することにより、手動コントロールユニットを動作すると、音声映像アラームシステムが動作して水門１００、１００ｂ若しくは１０００が動作しようとしているという警報を送信する。ビーコンが継続して点滅している間、音声サウンダは予め記録されたメッセージを継続して放送する。手動コントロールユニットの動作から所定の時間後、水門１００、１００ｂ若しくは１０００内のロック部材への電源供給が中断され、パネル１０２若しくは１０２‘がアンロックされる。ガス支柱１０４若しくは１０４’は、制御された速度で閉じた位置から開いた位置へパネル１０２若しくは１０４‘を動かす。
【００５７】
水門１００、１００ｂ若しくは１０００を自動的に動作させる例示のプロセス
水門１００、１００ｂ若しくは１０００は、パネル１０２若しくは１０２‘が閉じた位置でロックされていると、通常停止した状態にある。この例では、水門１００、１００ｂ若しくは１０００は、保護される土地周りの水位を検出するように機能する一つ以上の導電性レベルコントローラに連結している。
【００５８】
水位が第１の閾値に達すると、音声映像アラームが動作して洪水が発生するかもしれないという警報を示す。ビーコンが継続して点滅している間、音声サウンダは予め記録されたメッセージを継続して放送する。
【００５９】
水位が第１の閾値より下がると、所定の期間後、音声映像警報は中断する。この例では、音声映像警報の間欠的な動作及び停止を回避するため、プレセットのタイマコントロールが用いられる。
【００６０】
水位が上昇し続け第２の閾値に達すると、例えば、水門１００、１００ｂ若しくは１０００のロック部材への電源供給を中断し、よってパネル１０２若しくは１０２‘をアンロックすることにより、水門１００、１００ｂ若しくは１０００は動作する。個々のガス支柱１０４若しくは１０４’により作用する力は、制御された速度で閉じた位置から開いた位置へパネル１０２若しくは１０２‘を動かす。水位が第２の閾値に到達すると、第２の予め記録されたメッセージが動作し差し迫った水門の開門について警告する。所定の時間後、水門１００が開く。
【００６１】
図１４〜１７は水門システムを示し、個々の水門システムは異なる構成の複数の水門（水門１００及び／又は水門１００ｂ、及び／又は水門１０００）を含む。
【００６２】
図１４（ａ）及び図１４（ｂ）は、直線沿いに配置された複数の水門１０００ａ−１０００ｅを含む水門システム１３００の斜視図を示す。図１４（ａ）は水門システム１３００が停止しているときの水門システム１３００を示し、図１４（ｂ）は水門１３００が動作しているときの水門システム１３００を示す。
【００６３】
図１５（ａ）は、水門システム１３００の一部の横断面図を示し、図１５（ｂ）は、図１５（ａ）の横断面図の部分の拡大図（詳細Ｄ、詳細Ｅ、詳細Ｆ参照）を示す。水門１００と同様に、個々の水門１０００も複数のシール要素を含む。水門システム１３００では、個々の水門１０００ａ−１０００ｅの少なくとも一つのシール要素は、もう一つの水門１０００ａ−１０００ｅのシール要素とオーバーラップするように構成されており、このようにすることで、水門１０００ａ−１０００ｅのパネルと、オーバーラップするシール要素とにより連続する障壁が形成される。言い換えれば、水門１０００ａ−１０００ｅのパネル間のギャップは、オーバーラップするシール要素により閉じられて連続する障壁が形成される。図１５（ｂ）にこの例を示しており、ここでは水門１０００ｅのシール要素１４０２ｅ１が水門１０００ｄのシール要素１４０２ｄ２とオーバーラップする。更に、水門１０００ｅのシール要素１４０２ｅ２は、水門システム１３００が動作しているとき、壁若しくは垂直ポストに対して押圧して水門１０００ｅのパネルにより連続する障壁を形成するように構成されている。１４０１、１４０３等の空間は、内部排水を設ける。
【００６４】
図１６（ａ）及び図１６（ｂ）は、Ｕ字形状に配置された複数の水門１０００ｆ−１０００ｊを含む水門システム１３００の斜視図を示す。図１６（ａ）は水門システム１５００が動作しているときの水門システム１５００を示し、図１６（ｂ）は水門１６００が停止しているときの水門システム１６００を示す。水門システム１５００では、水門１０００ｇ、１０００ｈ及び１０００ｉは直線沿いに配置されるが、水門１０００ｆと１０００ｊとは、その直線に関して対向する側部で、その直線に垂直に配置される。同様に、水門システム１５００では、個々の水門１０００ｆ−１０００ｊの少なくとも一つのシール要素は、もう一つの水門１０００ｆ−１０００ｊのシール要素とオーバーラップするように構成されており、このようにすることで、水門１０００ｆ−１０００ｊのパネルと、オーバーラップするシール要素とにより連続する障壁が形成される。
【００６５】
図１７（ａ）及び図１７（ｂ）は、ファセット状で配置された複数の水門１０００ｋ−１０００ｏを含む水門システム１６００の斜視図を示す。図１７（ａ）は水門システム１６００が停止しているときの水門システム１６００を示し、図１７（ｂ）は水門１７００が動作しているときの水門システム１７００を示す。水門システム１６００では、水門１０００ｋ−１０００ｏの夫々の対の間の角度が同じであるように水門１０００ｋ−１０００ｏはファセット状で配置される。同様に、水門システム１６００では、個々の水門１０００ｋ−１０００ｏの少なくとも一つのシール要素は、もう一つの水門１０００ｋ−１０００ｏのシール要素とオーバーラップするように構成されており、このようにすることで、水門１０００ｋ−１０００ｏのパネルと、オーバーラップするシール要素とにより連続する障壁が形成される。
【００６６】
本発明の実施形態における水門１００、１００ｂ、１０００の利点は以下の通りである。
【００６７】
本発明の実施形態における水門１００、１００ｂ、１０００は、電力供給を利用すること無く動作する。これらの水門１００、１００ｂ、１０００を動作するには、これらの水門の各々のロック部材（即ち、水門１００、１００ｂの管状ドライブ２０２と統合した電磁気ロック、若しくは、水門１０００の電磁気ロック１１０２）を停止するだけでよい。これらの水門１００、１００ｂ、１０００のパネル１０２、１０２‘は、個々のガス支柱１０４、１０４’により作用する力によって、閉じた位置から開いた位置へ動かされる。
【００６８】
水門１００、１００ｂ、１０００では、ガス支柱１０４、１０４‘は、閉じた位置から開いた位置へパネル１０２、１０２’を動かすために用いられる。モータポンプオイル及び電源を要求する油圧ポンプとは異なり、ガス支柱１０４は電源供給を利用すること無く動作し得る。更に、これは、ガス支柱を動作するのに外部のエアポンプは要求されない。外部のエアコンプレッサを要求する空気圧シリンダに対して、有利である。高湿潤地域では、空気圧シリンダ内で大量の復水が生じる。この復水が空気圧シリンダ内に現存する潤滑油と混合すると、シリンダを損傷することが多い。更に、空気式シリンダは、復水により損傷し得るペーパーガスケットを採用する。
【００６９】
水門１００、１００ｂ、１０００では、個々のガス支柱１０４、１０４‘は、パネル１０２、１０２’が所定の位置から閉じた位置へ動く速度を減じるように構成されている緩衝機構を含む。よって、ガス支柱１０４、１０４‘は、パネル１０２、１０２’を徐々にしかし力強く動かすことができる。更に、水門１００、１００ｂでは、遠心ブレーキが管状ドライブ２０２内に含まれ、このことは、パネル１０２が動く速度を制限する助けとなる。このことにより、パネル１０２の非常に不意な若しくは非常に急速な動きが防がれ、水門１００、１００ｂの損傷が防がれる。
【００７０】
水門１００、１００ｂ、１０００は、アパーチャ、開口、又は、片開き戸口、両開き戸口、家の正門、高層ガレージの入口、コンパウンドへの入口若しくは２つの建物の間の戸口などの、戸口の側に、設置され得る。これらの水門１００、１００ｂ、１０００は、独立ユニットであり、現存の建物構造への拡張変形は、通常要求されない。水門１００、１００ｂ、１０００を設置すべく地面の一部を空にしなければならない場合でも、水門１００、１００ｂ、１０００のために要求される深さは低いものであり、よって建物構造のインテグリティは影響されない。更に、水門１００、１００ｂ、１０００は、操作上の迅速性を保証する以外には、最小限の修理及びメンテナンスを要求するに過ぎない。
【００７１】
更に、水門システムは、複数の水門（１００、１００ｂ及び／又は１０００）を用いて容易に構築され得る。水門１００、１００ｂ、若しくは１０００は、水門１００、１００ｂ及び／又は１０００のパネルの間のギャップを閉じるためにオーバーラップするシール要素を含むので、連続する障壁が形成される。よって、水門システムが動作するときにギャップを閉じるために、水門１００、１００ｂ及び／又は１０００のパネルの間にて、更なる障壁（例えば、垂直ポスト）が要求されることは無い。このことにより、水門システムのためのより早いセットアップ時間が達成される。
【００７２】
当業者には明白である、更なる変形が本発明の範囲内で可能である。
【００７３】
例えば、ガス支柱ではなく、拡張部材は油圧ポンプ若しくは空気ポンプの形態であってもよい。しかしながら、前述の利点によりガス支柱を用いることが好ましい。本発明のある実施形態では、拡張部材を完全に省くことも可能であるが、水門パネルの自動式開口若しくはアシスト式開口でアシストするためにそのような部材が用いられないならば、水門パネルを開いた位置に持ち上げるのに人の介入が要求されるのであり、水門パネル自身により若しくは洪水の力／圧力により、水門パネルが閉じてしまうることを防ぐためには支えが求められる。特に、前述の実施形態にて手動適用の支えも利用可能であり、この場合実施形態は、支えの端部を受ける接続要素（例えば、ソケット）と共に形成され、このことにより、支えは、開いた位置で水門パネルを保持する構成（例えば、傾斜した「斜めの」構成）にあることになる。
【００７４】
更に、図１〜９は、２本のガス支柱を含む個々の水門を示しているが、個々のガス支柱により作用する力に拠っては、１本のガス支柱が用いられてもよく、それ以上のガス支柱が含まれてもよい。
【００７５】
水門１００、１００ｂ内の、統合されたロック部材を伴う管状ドライブの数は変動し得る。実施には、管状ドライブは完全に省かれてもよい。しかしながら、この場合、水門は手動で閉める必要があり、このことは、所与の閉じる力を加えることができる所与の数の対応可能な人のために、パネルは（ヒンジ自句の方向の）ある長さまでとしかなし得ない、ということを意味する。これは、水門を開くのに要求されるガス支柱が、水門を閉じるのに抗して人が作用し得る力よりも大きい力を加える、というようには長さを設定し得ないからである。更に、水門が長すぎると、長さに沿って均等に広がらない位置に人が力を加えてしまうリスクがあり、これにより水門は歪んでしまう。言い換えれば、ワイヤロープ３１２は水門の長さ沿いに均等に力を加えるので、本管状ドライブにより水門はより長いものとなり得る。
【００７６】
水門１００、１００ｂ、１０００は、前記ロック部材と共に、水門を動作させる信号を受信すると同時に停止する、より多くのロック部材を含んでもよい。ロック部材は、電磁気ロックで無くてもよく、他のタイプのロックで有ってもよい。例えば、動作していないときに水門パネルが開くのを防ぐのに、ラッチやボルトを用いてもよい。更に、これらのロック部材の幾つかが、パネル１０２、１０２‘のコーナに配置されてもよい。
【００７７】
更に、図３〜７、図１０（ａ）及び図１２〜１３は、地面に水平に設置された水門１００、１００ｂ、１０００を示すが、パネル１０２、１０２‘が開いた位置にあるときに洪水が保護する土地のアパーチャ、開口若しくは戸口に入るのを防ぐ障壁を形成するように、アパーチャ、開口若しくは戸口に実質的に垂直なパネル１０２、１０２’と共に、水門１００、１００ｂ、１０００が地面に垂直な壁内に鉛直状に配置されてもよい。一方、水門１００、１００ｂ、１０００は、石積み／フィシュテールアンカなどの適切なアンカを用いてグランドの表面に設置されてもよく、水密性のためのポリサルファイドシーラントなどのシーラント内で覆われてもよい。このように設置されたときに人や車両交通が水門１００、１００ｂ、１０００上を通過できるように、水門１００、１００ｂ、１０００の前後の地面をコンクリートで埋め戻しして傾斜をつけてもよい。
【００７８】
更に、水門システム１３００、１５００、及び１６００の水門１０００ａ−１０００ｅ、１０００ｆ−１０００ｊ、１０００ｋ−１０００ｏの一部若しくは全ては、夫々、同じように構成されたシール要素と共に水門１００及び／又は１００ｂで置き換えられても良い。水門（１００、１００ｂ、１０００若しくはこれらの組み合わせ）を異なる構成で配置することにより、別の水門システムが構成されてもよい。更に、水門システム内の水門のパネルは、異なる方向で、閉じた位置から開いた位置へ動いてもよい。しかしながら、水門（１００、１００ｂ、１０００若しくはこれらの組み合わせ）の構成又はパネルが動く方向に拘わらず、個々の水門の少なくとも一つのシール要素は、パネル及びオーバーラップするシール部材により連続する障壁が形成されるように、別の水門のシール要素によりオーバーラップするように構成されている。
【符号の説明】
【００７９】
１００・・・水門、１０２・・・パネル、１０４・・・ガス支柱、１０８・・・ベースフレーム。
【図１（ａ）】
2013540217.tif 000003
【図１（ｂ）】
2013540217.tif 000004
【図２（ａ）】
2013540217.tif 000005
【図２（ｂ）】
2013540217.tif 000006
【図２（ｃ）】
2013540217.tif 000007
【図２（ｄ）】
2013540217.tif 000008
【図３】
2013540217.tif 000009
【図４】
2013540217.tif 000010
【図５】
2013540217.tif 000011
【図６】
2013540217.tif 000012
【図７】
2013540217.tif 000013
【図８（ａ）】
2013540217.tif 000014
【図８（ｂ）】
2013540217.tif 000015
【図９（ａ）】
2013540217.tif 000016
【図９（ｂ）】
2013540217.tif 000017
【図１０（ａ）】
2013540217.tif 000018
【図１０（ｂ）】
2013540217.tif 000019
【図１１】
2013540217.tif 000020
【図１２】
2013540217.tif 000021
【図１３】
2013540217.tif 000022
【図１４（ａ）】
2013540217.tif 000023
【図１４（ｂ）】
2013540217.tif 000024
【図１５（ａ）】
2013540217.tif 000025
【図１５（ｂ）】
2013540217.tif 000026
【図１６（ａ）】
2013540217.tif 000027
【図１６（ｂ）】
2013540217.tif 000028
【図１７（ａ）】
2013540217.tif 000029
【図１７（ｂ）】
2013540217.tif 000030
【国際調査報告】
2013540217.tif 000031
2013540217.tif 000032
2013540217.tif 000033
2013540217.tif 000034